(57)【要約】【課題】ミラーの曇り発生を常に防止することができ、ミラーの扱いや日常的なメンテナンスが容易になる口腔内写真撮影用ミラーウォーマーを提供する。【解決手段】熱伝導性の連結体１Ａで連結された上下一対の熱伝導板１の間にミラーＭを収納する収納部２を形成する。上部の熱伝導板１の上面に面状ヒーターからなる電熱器３を装着する。下部の熱伝導板１の下面に温度制御装置４を装着して前記収納部２の温度が一定になるようにする。収納部２の中に収納したミラーＭを温めるように構成する。収納部２の内部に出し入れ自在な熱導電性のトレイを形成する。該トレイを前記収納部２に収納し、該トレイ上に前記ミラーＭを載置する。【選択図】  図３
0003146853.tif 000002
【実用新案登録請求の範囲】
【請求項１】
口腔内写真撮影用のミラーを加熱するミラーウォーマーであって、熱伝導性の連結体で連結された上下一対の熱伝導板１の間にミラーを収納する収納部を形成し、いずれか一方又は両方の熱伝導板に電熱器を装着して各熱伝導板を加熱し、収納部の中に収納したミラーの温度を高めるように構成したことを特徴とする口腔内写真撮影用ミラーウォーマー。
【請求項２】
前記上部の熱伝導板の上面に面状ヒーターからなる電熱器を装着すると共に、下部の熱伝導板の下面に温度制御装置を装着して前記収納部の温度が一定になるように構成した請求項１記載の口腔内写真撮影用ミラーウォーマー。
【請求項３】
前記収納部の内部に出し入れ自在な熱導電性のトレイを形成し、該トレイを前記収納部に収納し、該トレイ上に前記ミラーを載置するように構成した請求項１又は２記載の口腔内写真撮影用ミラーウォーマー。
【請求項４】
前記熱伝導板は、側面が屈曲されて略Ｌ字形状を成す板体で形成され、屈曲された連結体にていずれか一方の熱伝導板の熱を他方の熱伝導板に伝えるように構成した請求項１乃至３いずれか記載の口腔内写真撮影用ミラーウォーマー。
【考案の詳細な説明】
【技術分野】
【０００１】
本考案は、歯科医院において口腔内の写真を撮影する際に使用する撮影用のミラーの曇りを防止する口腔内写真撮影用ミラーウォーマーに関する。
【背景技術】
【０００２】
従来、歯科医院において口腔内の写真を撮影する際に、舌側の撮影を補助するミラーが使用されている。このミラーを口腔内に入れると、ミラーと体温との温度差によってミラーが曇るといった現象が生じる。そのため、従来ではドライヤー等の温風をミラーにあてて曇りを除去する方法などがあった。
【０００３】
一方、この種のミラーを湯等に浸けて温めるミラー曇り止め装置が特許文献１に記載されている。このミラー曇り止め装置では、コップに生水やアルコールを入れて加熱し、このコップの中にミラーを入れて温めることで、使用時の曇りを防止するものである。
【特許文献１】特開２００４−１２９６８５号公報
【考案の開示】
【考案が解決しようとする課題】
【０００４】
ところが、ドライヤー等は熱伝導性が悪く、曇りを除去するまでに時間がかかるものであった。また、特許文献１に記載の如く、湯等に浸けてミラーを温めるタイプのものは、この湯やアルコールの扱いに多くの手間を要し、日常のメンテナンスに課題が生じるものである。
【０００５】
そこで本考案は、上述の課題を解消すべく案出されたもので、ミラーの曇り発生を常に防止することができ、ミラーの扱いや日常的なメンテナンスが容易になる口腔内写真撮影用ミラーウォーマーの提供を目的とするものである。
【課題を解決するための手段】
【０００６】
上述の目的を達成すべく本考案における第１の手段は、口腔内写真撮影用のミラーＭを加熱するミラーウォーマーであって、熱伝導性の連結体１Ａで連結された上下一対の熱伝導板１の間にミラーＭを収納する収納部２を形成し、いずれか一方又は両方の熱伝導板１に電熱器３を装着して各熱伝導板１を加熱し、収納部２の中に収納したミラーＭの温度を高めるように構成したことにある。
【０００７】
第２の手段は、前記上部の熱伝導板１の上面に面状ヒーターからなる電熱器３を装着すると共に、下部の熱伝導板１の下面に温度制御装置４を装着して前記収納部２の温度が一定になるように構成している。
【０００８】
第３の手段は、前記収納部２の内部に出し入れ自在な熱導電性のトレイ５を形成し、該トレイ５を前記収納部２に収納し、該トレイ５上に前記ミラーＭを載置するように構成したものである。
【０００９】
第４の手段の前記熱伝導板１は、側面が屈曲されて略Ｌ字形状を成す板体で形成され、屈曲された連結体１Ａにていずれか一方の熱伝導板１の熱を他方の熱伝導板１に伝えるように構成したことを課題解消のための手段とする。
【考案の効果】
【００１０】
本考案の請求項１の如く、熱伝導板１に電熱器３を装着して収納部２を加熱し、収納部２に収納したミラーＭを温める構成なので、ミラーＭの扱いが極めて容易でミラーＭを簡単に温めることができる。しかも、ミラーＭは熱伝導性が高いので、使用する直前にミラーＭを急速に温めることも可能である。また、収納部２は常に乾燥状態になっているから、清潔な使用が可能になる。
【００１１】
請求項２の如く、上部の熱伝導板１の上面に面状ヒーターからなる電熱器３を装着すると共に、下部の熱伝導板１の下面に温度制御装置４を装着して前記収納部２の温度が一定になるように構成したことにより、製造時の省コストや使用時の省エネを実現することができる。また、温度制御装置４によって収納部２内のミラーＭの温度を常に最適な温度に維持することが可能である。
【００１２】
請求項３では、前記収納部２の内部に出し入れ自在な熱導電性のトレイ５を形成し、該トレイ５を前記収納部２に収納し、該トレイ５上に前記ミラーＭを載置するように構成しているので、収納部２やトレイ５のメンテナンスが容易になり、常に清潔なトレイ５にミラーＭを載置することができる。
【００１３】
請求項４によると、側面が屈曲されて略Ｌ字形状を成す板体で形成され、屈曲された連結体１Ａにていずれか一方の熱伝導板１の熱を他方の熱伝導板１に伝えるように構成したことにより、上部の熱伝導板１の温度により下部の熱伝導板１を効率良く温めることができる。この結果、省エネ効果を高めることができ、長期間の使用に好適なものになる。
【００１４】
このように本考案によると、ミラーの曇り発生を常時防止することができ、日常的な管理や扱いが極めて容易になるなどといった実用上有益な種々の効果を奏するものである。
【考案を実施するための最良の形態】
【００１５】
本考案の最良の形態は、熱伝導性の連結体１Ａで連結された上下一対の熱伝導板１の間にミラーＭを収納する収納部２を形成する。いずれか一方又は両方の熱伝導板１に電熱器３を装着して各熱伝導板１を加熱して収納部２の中に収納したミラーＭの温度を高めるように構成する。上部の熱伝導板１の上面に面状ヒーターからなる電熱器３を装着すると共に、下部の熱伝導板１の下面に温度制御装置４を装着して前記収納部２の温度が一定になるように構成することで当初の目的を達成する。
【実施例】
【００１６】
以下、図面を参照して本考案を詳細に説明する。本考案は、口腔内写真撮影用に使用する金属製のミラーＭを加熱するものであり、基本構成は、熱伝導板１、収納部２、電熱器３、温度制御装置４からなる（図３参照）。
【００１７】
熱伝導板１は、金属等の熱伝導性を有する板体で、同じく熱伝導性の連結体１Ａで上下一対の熱伝導板１を連結し、熱伝導板１の間に収納部２を形成する。収納部２は、収納したミラーＭを温めるもので、いずれか一方又は両方の熱伝導板１に電熱器３を装着して各熱伝導板１を加熱することで、収納部２の中に収納したミラーＭの温度を高める。図示の伝導板１は、側面が屈曲されて略Ｌ字形状を成す板体で形成され、屈曲された連結体１Ａにていずれか一方の熱伝導板１の熱を他方の熱伝導板１に伝えるように構成している。
【００１８】
図示例では、上部の熱伝導板１の上面に面状ヒーター等の電熱器３を装着し（図２参照）、カバー６で覆っている（図１参照）。また、下部の熱伝導板１の下面に温度制御装置４を装着して前記収納部２の温度が一定になるように構成している。図示の温度制御装置４は、可変式サーモスタットを使用しているが、これら電熱器３や温度制御装置４の種類や数等は自由に変更することが可能である。
【００１９】
また、収納部２の内部に出し入れ自在な熱導電性のトレイ５を形成し、該トレイ５を前記収納部２に収納している（図１、図３参照）。そして、このトレイ５上にミラーＭを載置して温めるようにすることで、収納部２のメンテナンスが更に容易になる。
【００２０】
尚、本考案の実施例は図示例に限られるものではなく、例えば、熱伝導板１の種類や形状など、本考案の要旨を変更しない範囲で自由に変更できるものである。
【図面の簡単な説明】
【００２１】
【図１】本考案の一実施例の使用状態を示す斜視図である。
【図２】本考案の一実施例を斜め後方から見た内部の要部斜視図である。
【図３】本考案の内部の一実施例を示す要部側面図である。
【符号の説明】
【００２２】
１  熱伝導板
１Ａ  連結体
２  収納部
３  電熱器
４  温度制御装置
５  トレイ
６  カバー
【図１】
0003146853.tif 000003
【図２】
0003146853.tif 000004
【図３】
0003146853.tif 000005